(57)【要約】【課題】視聴選局時に、選局されたトラスポンダから送信される信号を短時間で復調することのできる受信装置、受信方法、および受信プログラムを提供する。【解決手段】選局制御部２１は、タイミング再生部１５により再生されたシンボルレートと初期シンボルレートとの差であるオフセットシンボルレートと、キャリア再生部１７により再生された周波数と初期周波数との差であるオフセット周波数とをオフセット値記憶部２３に記憶する。視聴時に、トランスポンダが選局されると、選局制御部２１は、初期値記憶部２２およびオフセット値記憶部２３内の選局されたトランポンダに対応する初期周波数、初期シンボルレート、オフセット周波数、およびオフセットシンボルレートによって、オフセット補正された周波数とオフセット補正されたシンボルレートに基づき、受信信号を選局し、復調する。【選択図】　　　　図１
2004128848.tif 000002
【特許請求の範囲】
【請求項１】
アンテナより入力される受信信号よりトランスポンダからの信号を選局して、選局された信号を出力する選局手段と、
前記選局手段より出力される信号に対して、キャリア再生とタイミング再生を行って、復調を行なう復調手段と、
各トランスポンダに対応して周波数とシンボルレートを記憶する第１の記憶手段と、
各トランポンダに対応してオフセット周波数とオフセットシンボルレートを記憶する第２の記憶手段と、
オートサーチ時に、前記第１の記憶手段内の各トランスポンダに対するシンボルレートと周波数とに基づき、前記選局手段に受信信号を選局させ、前記復調手段に前記選局手段より出力される信号を復調させ、前記復調手段で前記キャリア再生がロックしたときのオフセット周波数と、前記タイミング再生がロックしたときのオフセットシンボルレートとを取得して前記第２の記憶手段に記憶させ、所望のトランスポンダを視聴選局時に、前記第１の記憶手段内の選局されたトランスポンダに対応する周波数とシンボルレートと、前記第２の記憶手段内の選局されたトランスポンダに対応するオフセット周波数とオフセットシンボルレートとを読出して、オフセット補正された周波数とオフセット補正されたシンボルレートに基づき、前記選局手段に受信信号を選局させ、前記復調手段に前記選局手段より出力される信号を復調させる制御手段とを備えた受信装置。
【請求項２】
前記制御手段は、
オートサーチ時に、第１番目のトランスポンダから第Ｎ番目のトランスポンダまで順次選択して、前記選局および前記復調を行なわせ、取得した前記オフセット周波数と前記オフセットシンボルレートとを前記第２の記憶手段に記憶させ、
さらに、第ｋ番目のトランスポンダを選択して、前記選局および前記復調を行なわせ、それによりオフセット周波数を取得し、
第ｋ番目のトランスポンダのオフセット周波数を１回目に取得した時刻がＴｋ（１）で、取得したオフセット周波数がΔＦｋ（１）であり、第ｎ番目（ｎ＝１、２、・・・、Ｎ、ｎ≠ｋ）のトランスポンダのオフセット周波数を取得した時刻がＴｎ（１）で、取得したオフセット周波数がΔＦｎ（１）であり、第ｋ番目のトランスポンダのオフセット周波数を２回目に取得した時刻がＴｋ（２）で、取得したオフセット周波数がΔＦｋ（２）のときに、ｎ＝１、２、・・・、Ｎ（ｎ≠ｋ）につき、ΔＦｎ（２）＝ΔＦｎ（１）＋（ΔＦｋ（２）−ΔＦｋ（１））×（Ｔｋ（２）−Ｔｎ（１））／（Ｔｋ（２）−Ｔｋ（１））を算出し、
ｍ＝１〜Ｎにつき、前記第２の記憶手段内の第ｍ番目のトランスポンダのオフセット周波数をΔＦｍ（１）からΔＦｍ（２）に補正する、請求項１記載の受信装置。
【請求項３】
前記ｋ番目のトランスポンダは、前記第１番目のトランスポンダである、請求項２記載の受信装置。
【請求項４】
前記制御手段は、
オートサーチ時に、第１番目のトランスポンダから第Ｎ番目のトランスポンダまで順次選択して、前記選局および前記復調を行なわせ、取得した前記オフセット周波数と前記オフセットシンボルレートを前記第２の記憶手段に記憶させ、
さらに、第１番目のトランスポンダから第Ｎ番目のトランポンダまでを順次選択して前記選局および前記復調を行なわせる処理を１周期の処理として、当該周期の処理を繰返させ、
第ｎ番目のトランスポンダのＸ周期目に取得したオフセット周波数をΔＦｎ（Ｘ）と表わしたときに、ｎ＝１〜Ｎにつき、ΔＦｎ（Ｘ）＝ΔＦｎ（Ｘ−１）となったときに、ｍ＝１〜Ｎにつき、前記第２の記憶手段内の第ｍ番目のトランスポンダのオフセット周波数をΔＦｍ（１）からΔＦｍ（Ｘ）に補正する、請求項１記載の受信装置。
【請求項５】
前記制御手段は、さらに、
所望のトランスポンダを選局した後、前記トランスポンダの変化したオフセット周波数を取得して、
前記第２の記憶手段内の前記選局されたトランスポンダのオフセット周波数を読み出して、
前記読出したオフセット周波数と前記取得したオフセット周波数との差分値を算出し、
前記第２の記憶手段内のすべてのトランスポンダのオフセット周波数を前記差分値が加算された値に更新する、請求項１記載の受信装置。
【請求項６】
アンテナより入力される受信信号よりトランスポンダからの信号を選局して選局された信号を出力する選局手段と、前記選局手段より出力される信号に対して、キャリア再生とタイミング再生を行って復調を行なう復調手段とを備えた受信装置を制御するためにコンピュータを、
各トランスポンダに対応して周波数とシンボルレートを記憶する第１の記憶手段と、
各トランポンダに対応してオフセット周波数とオフセットシンボルレートを記憶する第２の記憶手段と、
オートサーチ時に、前記第１の記憶手段内の各トランスポンダに対するシンボルレートと周波数とに基づき、前記選局手段に受信信号を選局させ、前記復調手段に復調させ、前記復調手段で前記キャリア再生がロックしたときのオフセット周波数と、前記タイミング再生がロックしたときのオフセットシンボルレートとを取得して前記第２の記憶手段に記憶させ、
所望のトランスポンダを視聴選局時に、前記第１の記憶手段内の選局されたトランスポンダに対応する周波数とシンボルレートと、前記第２の記憶手段内の選局されたトランスポンダに対応するオフセット周波数とオフセットシンボルレートとを読出して、オフセット補正された周波数とオフセット補正されたシンボルレートに基づき、前記選局手段に受信信号を選局させ、前記復調手段に復調させる制御手段として機能させる受信プログラムであって、
前記制御手段は、
オートサーチ時に、第１番目のトランスポンダから第Ｎ番目のトランスポンダまで順次選択して、前記選局および前記復調を行なわせ、取得した前記オフセット周波数と前記オフセットシンボルレートを前記第２の記憶手段に記憶させ、
さらに、第ｋ番目のトランスポンダを選択して、前記選局および前記復調を行なわせ、それによりオフセット周波数を取得し、
第ｋ番目のトランスポンダのオフセット周波数を１回目に取得した時刻がＴｋ（１）で、取得したオフセット周波数がΔＦｋ（１）であり、第ｎ番目（ｎ＝１、２、・・・、Ｎ、ｎ≠ｋ）のトランスポンダのオフセット周波数を取得した時刻がＴｎ（１）で、取得したオフセット周波数がΔＦｎ（１）であり、第ｋ番目のトランスポンダのオフセット周波数を２回目に取得した時刻がＴｋ（２）で、取得したオフセット周波数がΔＦｋ（２）のときに、ｎ＝１、２、・・・、Ｎ（ｎ≠ｋ）につき、ΔＦｎ（２）＝ΔＦｎ（１）＋（ΔＦｋ（２）−ΔＦｋ（１））×（Ｔｋ（２）−Ｔｎ（１））／（Ｔｋ（２）−Ｔｋ（１））を算出し、
ｍ＝１〜Ｎにつき、前記第２の記憶手段内の第ｍ番目のトランスポンダのオフセット周波数をΔＦｍ（１）からΔＦｍ（２）に補正する、受信プログラム。
【請求項７】
アンテナより入力される受信信号よりトランスポンダからの信号を選局して選局された信号を出力する選局手段と、前記選局手段より出力される信号に対して、キャリア再生とタイミング再生を行って復調を行なう復調手段とを備えた受信装置における受信方法であって、
オートサーチ時に、各トランスポンダに対するシンボルレートと周波数とに基づき、前記選局手段に受信信号を選局させ、前記復調手段に復調させ、前記復調手段で前記キャリア再生がロックしたときのオフセット周波数と、前記タイミング再生がロックしたときのオフセットシンボルレートとを取得するオートサーチステップと、
所望のトランスポンダを視聴選局時に、選局されたトランスポンダに対応する周波数とシンボルレートと、選局されたトランスポンダに対応するオフセット周波数とオフセットシンボルレートとによって、オフセット補正された周波数とオフセット補正されたシンボルレートに基づき、前記選局手段に受信信号を選局させ、前記復調手段に復調させる視聴選局ステップとを含み、
前記オートサーチステップは、
オートサーチ時に、第１番目のトランスポンダから第Ｎ番目のトランスポンダまで順次選択して、前記選局および前記復調を行なわせ、前記オフセット周波数と前記オフセットシンボルレートを取得し、
さらに、第ｋ番目のトランスポンダを選択して、前記選局および前記復調を行なわせ、それによりオフセット周波数を取得し、
第ｋ番目のトランスポンダのオフセット周波数を１回目に取得した時刻がＴｋ（１）で、取得したオフセット周波数がΔＦｋ（１）であり、第ｎ番目（ｎ＝１、２、・・・、Ｎ、ｎ≠ｋ）のトランスポンダのオフセット周波数を取得した時刻がＴｎ（１）で、取得したオフセット周波数がΔＦｎ（１）であり、第ｋ番目のトランスポンダのオフセット周波数を２回目に取得した時刻がＴｋ（２）で、取得したオフセット周波数がΔＦｋ（２）のときに、ｎ＝１、２、・・・、Ｎ（ｎ≠ｋ）につき、ΔＦｎ（２）＝ΔＦｎ（１）＋（ΔＦｋ（２）−ΔＦｋ（１））×（Ｔｋ（２）−Ｔｎ（１））／（Ｔｋ（２）−Ｔｋ（１））を算出し、
ｍ＝１〜Ｎにつき、第ｍ番目のトランスポンダのオフセット周波数をΔＦｍ（１）からΔＦｍ（２）に補正する、受信方法。
【発明の詳細な説明】
【０００１】
【発明の属する技術分野】
本発明は、受信装置に関し、特に、衛星放送または衛星通信のデジタル受信装置に関する。
【０００２】
【従来の技術】
図６は、衛星放送システムの構成を示す。同図を参照して、衛星９９は、複数個の無線中継器（トランスポンダ）ＴＰ１、ＴＰ２、・・・、ＴＰＮを備えている。送信側の基地局では、その基地局に割り当てられたトランスポンダに対して、そのトランスポンダについて定められた周波数（アップリンク周波数）とシンボルレートの信号を送信する。トランスポンダＴＰ１、ＴＰ２、・・・、ＴＰＮは、受信した信号の周波数をアップリンク周波数からダウンリンク周波数に変換する。
【０００３】
衛星放送受信装置９８では、トランスポンダごとに、その周波数（ダウンリンク周波数）とシンボルレートとを定めたテーブルを備えている。衛星放送受信装置９８では、このテーブルから選択されたトランスポンダの周波数とシンボルレートを読み出して、これらに基づいて、受信した信号から所望のトランスポンダから送信された信号を取り出して復調を行なう。
【０００４】
ところで、このテーブルの周波数とシンボルレートと、実際にトランスポンダからの信号を復調するために衛星放送受信装置に設定しなければならない周波数とシンボルレートが以下の理由でずれることがある。
【０００５】
すなわち、衛星放送受信装置では、アンテナで受信した信号の周波数を変換するＬＮＢ（Ｌｏｗ　Ｎｏｉｓｅ　Ｂｌｏｃｋ　Ｃｏｎｖｅｒｔｅｒ）が、屋外に設置されているため温度変動の影響を受けやすく、温度変動によってそのローカル発振周波数が変化する。また、衛星放送受信装置の部品や、基地局の変調器またはコンバータなどの装置にばらつきがあり設計値どおりに動作しないことがある。さらに、トランスポンダの周波数が、通知されることなく変更されることがある。
【０００６】
したがって、衛星放送受信装置では、電源投入後のオートサーチ時に、このテーブルに定められた周波数とシンボルレートに基づいて、受信した信号から所望のトランスポンダから送信された信号を取り出して復調ができるか否かを調べている。衛星放送受信装置では、テーブルに定められたシンボルレートと実際の受信信号のシンボルレートのずれを補正するためにタイミング再生部でタイミング再生を行ない、テーブルに定められた周波数と実際の受信信号の周波数のずれを補正するためにキャリア再生部によりキャリア再生を行なっている。
【０００７】
タイミング再生部は、テーブルで定められたシンボルレートと、受信信号のシンボルレートとのずれを検出し、帰還をかけることで、正確なシンボルレートを取得し、当該シンボルレートでシンボルをサンプリングする。タイミング再生を行なうタイミング再生回路は、たとえば、数値制御発振器（ＮＣＯ）とＶＣＯ回路を含むＰＬＬ回路で構成される。
【０００８】
キャリア再生部は、テーブルで定められた周波数に基づいてキャリアサーチを行ない、搬送波（キャリア）を再生する。図７に示すようにキャリア再生を行なうキャリア再生回路８０は、位相比較器８１と、ループフィルタ８２と、数値制御発振器８３と、正弦／余弦データ生成器８４とからなり、複素乗算器８５と接続する。
【０００９】
複素乗算器８５は、正弦／余弦データ生成器８４の出力により、シンボルをθだけ回転させる。位相比較器８１は、複素乗算器８５の出力の位相差を計算する。ループフィルタ８２は、位相比較器８１の出力を平滑化する。数値制御発振器８３は、ループフィルタ８２の出力値に応じて発振する。正弦／余弦データ生成器８４は、数値制御発振器８３が出力する値に応じて、ｓｉｎθおよびｃｏｓθのデータを生成する。これにより、キャリア再生回路８０と複素乗算器８５は、帰還ループを形成し、正弦／余弦データ生成器８４の発振角周波数が、タイミング再生回路から出力される信号の発振各周波数に一致するように収束する。
【００１０】
キャリア再生およびタイミング再生は、通常、上述のような専用のハードウエアで行なわれるが、次のような場合には、ソフトウエアとＣＰＵを用いて行なわれることがある。
【００１１】
タイミング再生では、シンボルレートが低い場合では、引き込み範囲（補正できるずれ量）が狭いため、より広い範囲で引き込みができるように、ソフトウエアとＣＰＵを用いてタイミング再生が行なわれることがある。
【００１２】
また、キャリア再生では、シンボルレートが低い場合に、引き込み範囲（補正できるずれ量）が狭いため、より広い範囲で引き込みができるようにするとともに、別のトランスポンダの周波数に擬似ロックするのを避けるために、ソフトウエアとＣＰＵを用いてキャリア再生が行なわれることがある。
【００１３】
衛星放送受信装置では、上述のようにオートサーチ時に、キャリア再生およびタイミング再生によりずれを補正することで、信号を受信し復調することができたトランスポンダを記憶しておき、視聴選局時には、これらのトランスポンダからの信号のみを選局することとしている。
【００１４】
さらに参考のため付け加えると、特許文献１では、ＣＰＵからの周波数制御データにより中心周波数をオフセットする方法について記載されているが、この特許文献１では、ＣＰＵが何かに基づいて周波数制御データを生成するのではなく、予め受信信号の中心周波数を知っており、この中心周波数に対応するような周波数制御データを生成しているものと考えられる。
【００１５】
【特許文献１】
特開平７−２５０１１５号公報（第４頁）
【００１６】
【発明が解決しようとする課題】
しかしながら、従来の衛星放送受信装置では、視聴選局するごとに、タイミング再生とキャリア再生がロックするまで実行する必要があり、選局されたトランスポンダから送信される信号を復調するのに時間がかかる。特に、タイミング生成とキャリア再生をソフトウエアを用いて行なうような場合には、その復調に要する時間は、相当に長時間となる。
【００１７】
それゆえに、本発明の目的は、視聴選局時に、選局されたトラスポンダから送信される信号を短時間で復調することのできる受信装置、受信プログラム、および受信方法を提供することである。
【００１８】
【課題を解決するための手段】
上記課題を解決するために、この発明に係わる受信装置は、アンテナより入力される受信信号よりトランスポンダからの信号を選局して、選局された信号を出力する選局手段と、前記選局手段より出力される信号に対して、キャリア再生とタイミング再生を行って、復調を行なう復調手段と、各トランスポンダに対応して周波数とシンボルレートを記憶する第１の記憶手段と、各トランポンダに対応してオフセット周波数とオフセットシンボルレートを記憶する第２の記憶手段と、オートサーチ時に、前記第１の記憶手段内の各トランスポンダに対するシンボルレートと周波数とに基づき、前記選局手段に受信信号を選局させ、前記復調手段に前記選局手段より出力される信号を復調させ、前記復調手段で前記キャリア再生がロックしたときのオフセット周波数と、前記タイミング再生がロックしたときのオフセットシンボルレートとを取得して前記第２の記憶手段に記憶させ、所望のトランスポンダを視聴選局時に、前記第１の記憶手段内の選局されたトランスポンダに対応する周波数とシンボルレートと、前記第２の記憶手段内の選局されたトランスポンダに対応するオフセット周波数とオフセットシンボルレートとを読出して、オフセット補正された周波数とオフセット補正されたシンボルレートに基づき、前記選局手段に受信信号を選局させ、前記復調手段に前記選局手段より出力される信号を復調させる制御手段とを備える。この構成を採用したことにより、視聴選局時に選局されたトラスポンダから送信される信号を短時間で復調することができる。
【００１９】
好ましくは、前記制御手段は、オートサーチ時に、第１番目のトランスポンダから第Ｎ番目のトランスポンダまで順次選択して、前記選局および前記復調を行なわせ、取得した前記オフセット周波数と前記オフセットシンボルレートとを前記第２の記憶手段に記憶させ、さらに、第ｋ番目のトランスポンダを選択して、前記選局および前記復調を行なわせ、それによりオフセット周波数を取得し、第ｋ番目のトランスポンダのオフセット周波数を１回目に取得した時刻がＴｋ（１）で、取得したオフセット周波数がΔＦｋ（１）であり、第ｎ番目（ｎ＝１、２、・・・、Ｎ、ｎ≠ｋ）のトランスポンダのオフセット周波数を取得した時刻がＴｎ（１）で、取得したオフセット周波数がΔＦｎ（１）であり、第ｋ番目のトランスポンダのオフセット周波数を２回目に取得した時刻がＴｋ（２）で、取得したオフセット周波数がΔＦｋ（２）のときに、ｎ＝１、２、・・・、Ｎ（ｎ≠ｋ）につき、ΔＦｎ（２）＝ΔＦｎ（１）＋（ΔＦｋ（２）−ΔＦｋ（１））×（Ｔｋ（２）−Ｔｎ（１））／（Ｔｋ（２）−Ｔｋ（１））を算出し、ｍ＝１〜Ｎにつき、前記第２の記憶手段内の第ｍ番目のトランスポンダのオフセット周波数をΔＦｍ（１）からΔＦｍ（２）に補正する。
【００２０】
さらに、好ましくは、前記ｋ番目のトランスポンダは、前記第１番目のトランスポンダである。
【００２１】
好ましくは、前記制御手段は、オートサーチ時に、第１番目のトランスポンダから第Ｎ番目のトランスポンダまで順次選択して、前記選局および前記復調を行なわせ、取得した前記オフセット周波数と前記オフセットシンボルレートを前記第２の記憶手段に記憶させ、さらに、第１番目のトランスポンダから第Ｎ番目のトランポンダまでを順次選択して前記選局および前記復調を行なわせる処理を１周期の処理として、当該周期の処理を繰返させ、第ｎ番目のトランスポンダのＸ周期目に取得したオフセット周波数をΔＦｎ（Ｘ）と表わしたときに、ｎ＝１〜Ｎにつき、ΔＦｎ（Ｘ）＝ΔＦｎ（Ｘ−１）となったときに、ｍ＝１〜Ｎにつき、前記第２の記憶手段内の第ｍ番目のトランスポンダのオフセット周波数をΔＦｍ（１）からΔＦｍ（Ｘ）に補正する。
【００２２】
好ましくは、前記制御手段は、さらに、所望のトランスポンダを選局した後、前記トランスポンダの変化したオフセット周波数を取得して、前記第２の記憶手段内の前記選局されたトランスポンダのオフセット周波数を読み出して、前記読出したオフセット周波数と前記取得したオフセット周波数との差分値を算出し、前記第２の記憶手段内のすべてのトランスポンダのオフセット周波数を、前記差分値が加算された値に更新する。
【００２３】
この発明に係る受信プログラムは、アンテナより入力される受信信号よりトランスポンダからの信号を選局して選局された信号を出力する選局手段と、前記選局手段より出力される信号に対して、キャリア再生とタイミング再生を行って復調を行なう復調手段とを備えた受信装置を制御するためにコンピュータを、各トランスポンダに対応して周波数とシンボルレートを記憶する第１の記憶手段と、各トランポンダに対応してオフセット周波数とオフセットシンボルレートを記憶する第２の記憶手段と、オートサーチ時に、前記第１の記憶手段内の各トランスポンダに対するシンボルレートと周波数とに基づき、前記選局手段に受信信号を選局させ、前記復調手段に復調させ、前記復調手段で前記キャリア再生がロックしたときのオフセット周波数と、前記タイミング再生がロックしたときのオフセットシンボルレートとを取得して前記第２の記憶手段に記憶させ、所望のトランスポンダを視聴選局時に、前記第１の記憶手段内の選局されたトランスポンダに対応する周波数とシンボルレートと、前記第２の記憶手段内の選局されたトランスポンダに対応するオフセット周波数とオフセットシンボルレートとを読出して、オフセット補正された周波数とオフセット補正されたシンボルレートに基づき、前記選局手段に受信信号を選局させ、前記復調手段に復調させる制御手段として機能させるオフセット設定プログラムであって、前記制御手段は、オートサーチ時に、第１番目のトランスポンダから第Ｎ番目のトランスポンダまで順次選択して、前記選局および前記復調を行なわせ、取得した前記オフセット周波数と前記オフセットシンボルレートを前記第２の記憶手段に記憶させ、さらに、第ｋ番目のトランスポンダを選択して、前記選局および前記復調を行なわせ、それによりオフセット周波数を取得し、第ｋ番目のトランスポンダのオフセット周波数を１回目に取得した時刻がＴｋ（１）で、取得したオフセット周波数がΔＦｋ（１）であり、第ｎ番目（ｎ＝１、２、・・・、Ｎ、ｎ≠ｋ）のトランスポンダのオフセット周波数を取得した時刻がＴｎ（１）で、取得したオフセット周波数がΔＦｎ（１）であり、第ｋ番目のトランスポンダのオフセット周波数を２回目に取得した時刻がＴｋ（２）で、取得したオフセット周波数がΔＦｋ（２）のときに、ｎ＝１、２、・・・、Ｎ（ｎ≠ｋ）につき、ΔＦｎ（２）＝ΔＦｎ（１）＋（ΔＦｋ（２）−ΔＦｋ（１））×（Ｔｋ（２）−Ｔｎ（１））／（Ｔｋ（２）−Ｔｋ（１））を算出し、ｍ＝１〜Ｎにつき、前記第２の記憶手段内の第ｍ番目のトランスポンダのオフセット周波数をΔＦｍ（１）からΔＦｍ（２）に補正する。
【００２４】
この発明に係る受信方法は、アンテナより入力される受信信号よりトランスポンダからの信号を選局して選局された信号を出力する選局手段と、前記選局手段より出力される信号に対して、キャリア再生とタイミング再生を行って復調を行なう復調手段とを備えた受信装置における受信方法であって、オートサーチ時に、各トランスポンダに対するシンボルレートと周波数とに基づき、前記選局手段に受信信号を選局させ、前記復調手段に復調させ、前記復調手段で前記キャリア再生がロックしたときのオフセット周波数と、前記タイミング再生がロックしたときのオフセットシンボルレートとを取得するオートサーチステップと、所望のトランスポンダを視聴選局時に、選局されたトランスポンダに対応する周波数とシンボルレートと、選局されたトランスポンダに対応するオフセット周波数とオフセットシンボルレートとによって、オフセット補正された周波数とオフセット補正されたシンボルレートに基づき、前記選局手段に受信信号を選局させ、前記復調手段に復調させる視聴選局ステップとを含み、前記オートサーチステップは、オートサーチ時に、第１番目のトランスポンダから第Ｎ番目のトランスポンダまで順次選択して、前記選局および前記復調を行なわせ、前記オフセット周波数と前記オフセットシンボルレートを取得し、さらに、第ｋ番目のトランスポンダを選択して、前記選局および前記復調を行なわせ、それによりオフセット周波数を取得し、第ｋ番目のトランスポンダのオフセット周波数を１回目に取得した時刻がＴｋ（１）で、取得したオフセット周波数がΔＦｋ（１）であり、第ｎ番目（ｎ＝１、２、・・・、Ｎ、ｎ≠ｋ）のトランスポンダのオフセット周波数を取得した時刻がＴｎ（１）で、取得したオフセット周波数がΔＦｎ（１）であり、第ｋ番目のトランスポンダのオフセット周波数を２回目に取得した時刻がＴｋ（２）で、取得したオフセット周波数がΔＦｋ（２）のときに、ｎ＝１、２、・・・、Ｎ（ｎ≠ｋ）につき、ΔＦｎ（２）＝ΔＦｎ（１）＋（ΔＦｋ（２）−ΔＦｋ（１））×（Ｔｋ（２）−Ｔｎ（１））／（Ｔｋ（２）−Ｔｋ（１））を算出し、ｍ＝１〜Ｎにつき、第ｍ番目のトランスポンダのオフセット周波数をΔＦｍ（１）からΔＦｍ（２）に補正する。
【００２５】
【発明の実施の形態】
以下、本発明の実施の形態について、図面を用いて説明する。
【００２６】
（構成）
図１は、本実施の形態に係る衛星放送受信装置の構成を示す。同図を参照して、衛星放送受信装置は、アンテナ１８と、ＬＮＢ１と、選局部１００と、復調部１１０と、ＦＥＣ部１２０と、オートサーチ制御部２０と、選局制御部２１と、初期値記憶部２２と、オフセット値記憶部２３とから構成される。
【００２７】
アンテナ１８は、トランスポンダから送信されるＣバンド（３．６〜４．２ＧＨｚの周波数）またはＫｕバンド（１２．２〜１２．７５ＧＨｚの周波数）の電波を受信する。ＬＮＢ１は、アンテナで受信した電波を９５０〜２１５０ＭＨｚのＲＦ（高周波）信号に変換する。
【００２８】
選局部１００は、ＬＮＢ１から送られた信号から選局したトランスポンダから送信される信号を抽出してＩ信号とＱ信号を生成するもので、コンデンサＣと、ＲＦ増幅回路２と、乗算器３と、局部発振回路４と、ＳＡＷ（Ｓｕｒｆａｃｅ　ＡｃｏｕｓｔｉｃＷａｖｅ）フィルタ５と、ＩＦ増幅回路６と、局部発振回路７と、π／２移相器８と、乗算器９と、乗算器１０と、ＬＰＦ１１と、ＬＰＦ１２とを含む。
【００２９】
コンデンサＣは、アンテナで受信したＲＦ信号の直流成分をカットする。ＲＦ増幅回路２は、ＲＦ信号を増幅する。局部発振回路４は、ＩＦ信号（中間周波数信号）を生成するための信号を出力する。乗算器３は、ＲＦ信号と局部発振回路４から送出される信号とを乗算してＩＦ（中間周波数）信号を生成する。ＳＡＷフィルタ５は、ミキサーより送信される信号よりＩＦ信号以外の帯域の信号をカットする。ＩＦ増幅回路６は、ＩＦ信号を増幅する。局部発振回路７は、選局制御部２１より指示された周波数の正弦波信号を出力する。π／２移相器８は、局部発振回路７からの正弦波信号をπ／２移相する。乗算器９は、受信信号と局部発振回路７からの正弦波信号とを乗算してＩ信号を生成する。乗算器１０は、受信信号とπ／２移相器８からの正弦波信号とを乗算してＱ信号を生成する。ＬＰＦ１１は、乗算器９の出力信号（Ｉ信号）の低周波成分を通過させる。ＬＰＦ１２は、乗算器１０の出力信号（Ｑ信号）の低周波成分を通過させる。
【００３０】
復調部１１０は、Ａ／Ｄ変換器１３と、Ａ／Ｄ変換器１４と、タイミング再生部１５と、キャリア再生部１７と、複素乗算器１６と、レジスタ１９とを含む。
【００３１】
Ａ／Ｄ変換器１３は、増幅されたアナログＩ信号をデジタルＩ信号に変換する。Ａ／Ｄ変換器１４は、増幅されたアナログＱ信号をデジタルＱ信号に変換する。
【００３２】
タイミング再生部１５は、選局制御部２１で設定されたシンボルレートに基づいて、タイミング再生を行ない、タイミング再生されたＩおよびＱデジタル信号を出力する。また、タイミング再生部１５は、ロック後のシンボルレートと初期シンボルレートとの差であるオフセットシンボルレートをレジスタ１９に書込む。タイミング再生部１５は、ＣＰＵがプログラムを実行することにより上記機能を実行する。
【００３３】
複素乗算器１６は、キャリア再生部１７から出力される位相補正量に基づき、タイミング再生部１５から出力されるＩおよびＱデジタル信号のシンボルの位相回転を補正して出力する。
【００３４】
キャリア再生部１７は、選局制御部２１で設定された周波数に基づいて、キャリア再生を行ない、位相補正量を出力する。また、キャリア再生部１７は、ロック後の周波数と設定された周波数との差であるオフセット周波数をレジスタ１９に書込む。キャリア再生部１７は、ＣＰＵがプログラムを実行することにより上記機能を実行する。
【００３５】
レジスタ１９は、オフセットシンボルレートおよびオフセット周波数を記憶する。
【００３６】
ＦＥＣ部１２０は、複素乗算器１６の出力信号の誤り訂正を行なって、復調信号を出力する。
【００３７】
初期値記憶部２２は、図２に示すように、各トランスポンダに対応して初期周波数（Ｆｎ）と初期シンボルレート（Ｒｎ）を記憶する。
【００３８】
オフセット値記憶部２３は、図３に示すように、各トランスポンダに対応してオフセット周波数（ΔＦｎ）とオフセットシンボルレート（ΔＲｎ）を記憶する。
【００３９】
オートサーチ制御部２０は、選局制御部２１に順次、トランスポンダＴＰ１からトランスポンダＴＰＮまで選局させる。
【００４０】
選局制御部２１は、オートサーチ時、視聴選局時において、次のような処理を行なう。
【００４１】
（オートサーチ時）
選局制御部２１は、オートサーチ制御部２０の指示で、トランスポンダＴＰ１、ＴＰ２、・・・、ＴＰＮを順次選局する。すなわち、選局制御部２１は、初期値記憶部２２より、トランスポンダＴＰｎに対応する初期周波数と初期シンボルレートとを読出し、読み出した周波数で発振するように局部発振回路７を制御し、読み出した周波数を基にしてキャリア再生するようにキャリア再生部１７を制御し、読み出したシンボルレートを基にしてタイミング再生をするようにタイミング再生部１５を制御する。
【００４２】
選局制御部２１は、時刻Ｔ１（１）、Ｔ２（１）、・・・、ＴＮ（１）において、それぞれ、ＴＰ１のオフセット周波数ΔＦ１（１）およびオフセットシンボルレートΔＲ（１）、ＴＰ２のオフセット周波数ΔＦ２（１）およびオフセットシンボルレートΔＲ（２）、・・・、ＴＰＮのオフセット周波数ΔＦＮ（１）およびオフセットシンボルレートΔＲ（Ｎ）をレジスタ１９から読出してオフセット値記憶部２３に記憶させる。
【００４３】
衛星放送受信装置の部品は、温度に依存した動作性能を示す。特に、電源投入直後のオートサーチ時には、冷えた状態から徐々に温まるため、最初は、オフセット周波数が大きいが、次第に小さくなる。そこで、選局制御部２１は、トランスポンダＴＰＮに対しての処理が終了したら、図４に示すようにしてオフセット周波数の補正を行なう。オフセットシンボルレートについては、外部環境による変動は小さいので、補正は行なわない。
【００４４】
すなわち、選局制御部２１は、時刻Ｔ１（２）において、レジスタ１９からオフセット周波数ΔＦ１（２）を読出し、また、オフセット値記憶部２２に記憶されているオフセット周波数ΔＦ１（１）を読出し、ΔＦ１（２）からΔＦ１（１）を減算した差分値δｆを算出する。
【００４５】
ＴＰ１のオフセット周波数は、時刻が経過すると温度が変化するので、時間変化する。つまり、時刻Ｔ１（２）で取得したときには、時刻Ｔ１（１）で取得したときよりも、δｆ＝ΔＦ１（２）−ΔＦ１（１）だけ変化している。ＴＰ１のオフセット周波数ΔＦ１を、ΔＦ１（１）から最新の値であるΔＦ１（２）に補正する。
【００４６】
ＴＰｎ（ｎ＝２、３、・・・、Ｎ）のオフセット周波数については、時刻Ｔｎ（１）で取得したきには、ΔＦｎ（１）である。しかし、時間変化により、時刻Ｔｎ（１）以降で取得したときのオフセット周波数は、ΔＦｎ（１）と異なる。ＴＰｎのオフセット周波数についても、時刻Ｔ１（２）で取得されたときに得られると予想される値に補正する。
【００４７】
ここで、オフセット周波数の時間的な変動量は、すべてのＴＰについて、同一であり、時間とともに線形に変化すると考える。
【００４８】
そうすると、時刻Ｔｎ（１）から、時刻Ｔ１（２）までのＴＰｎのオフセット周波数の時間的な変動量は、δｆｎ＝δｆ×（Ｔ１（２）−Ｔｎ（１））／（Ｔ１（２）−Ｔ１（１））であると考えられる
選局制御部２１は、ｎ＝２、３、・・・、Ｎについて、時刻Ｔ１（２）で取得したときに予想されるＴＰｎのオフセット周波数ΔＦｎ（２）を次式で算出する。
【００４９】
ΔＦｎ（２）＝ΔＦｎ（１）＋δｆｎ＝ΔＦｎ（１）＋δｆ×（Ｔ１（２）−Ｔｎ（１））／（Ｔ１（２）−Ｔ１（１））
選局制御部２１は、オフセット値記憶部２３に記憶されているすべてのＴＰｍ（ｍ＝１、２、・・・、Ｎ）のオフセット周波数をΔＦｍ（１）からΔＦｍ（２）に補正する。
【００５０】
（視聴選局時）
選局制御部２１は、ユーザより、視聴時に、所望のトランスポンダＴＰｋが選局されると、トランポンダＴＰｋに対応する初期周波数と初期シンボルレートを初期値記憶部２２から読出し、トランスポンダＴＰｋに対応するオフセット周波数とオフセットシンボルレートとをオフセット値記憶部２３から読出す。選局制御部２１は、オフセット補正した周波数で発振するように局部発振回路７を制御し、オフセット補正した周波数を基にしてキャリア再生するようにキャリア再生部１７を制御し、オフセット補正したシンボルレートを基にしてタイミング再生をするようにタイミング再生部１５を制御する。
【００５１】
衛星放送受信装置の部品は、温度に依存した動作性能を示すので、周囲の温度が変化すると、オートサーチ後の視聴選局時においても、オフセット周波数が変化する場合がある。
【００５２】
そこで、選局制御部２１は、視聴選局時の温度変化によるオフセット周波数の変化に対応した処理を行なう。すなわち、選局制御部２１は、一定周期ごとにレジスタ１９からオフセット周波数ΔＦｋ’を読出す。選局制御部２１は、このオフセット周波数ΔＦｋ’がオフセット値記憶部２３に記憶されているオフセット周波数ΔＦｋと相違するか否かを調べる。選局制御部２１は、相違する場合には、ΔＦｋ’からΔＦｋを減算した差分値α（＝ΔＦｋ’−ΔＦｋ）を算出する。選局制御部２１は、オフセット値記憶部２３に記憶されているすべてのトランスポンダＴＰｍ（ｍ＝１、２、・・・、Ｎ）のオフセット周波数ΔＦｍに差分値αを加算して、加算された値ΔＦｍ’（＝ΔＦｍ＋α）でオフセット値記憶部２３内のオフセット周波数を更新する。
【００５３】
（動作）
次に、図５に示す衛星放送受信装置の動作手順を定めたフローチャートを参照して、この衛星放送受信装置の動作について説明する。
【００５４】
オートサーチ制御部２０からの指示により、選局制御部２１は第ｎ番目のトランスポンダ（ＴＰｎ）を選局する。すなわち、選局制御部２１は、初期値記憶部２２より、第ｎ番目のトランスポンダ（ＴＰｎ）に対応する初期周波数と初期シンボルレートとを読出し、読み出した周波数で発振するように局部発振回路７を制御し、読み出した周波数を基にしてキャリア再生するようにキャリア再生部１７を制御し、読み出したシンボルレートを基にしてタイミング再生をするようにタイミング再生部１５を制御する（ステップＳ４１）。
【００５５】
選局部１００では、局部発振回路７が設定された周波数に基づき信号を発信することによって、トランスポンダＴＰｎから送信された信号より生成されたＩ信号とＱ信号を出力する。
【００５６】
復調部１１０では、選局部１００から出力されるＩ信号およびＱ信号に対して、タイミング再生部１５でタイミング再生を行ない、キャリア再生部１７でキャリア再生を行なって、複素乗算器１６より復調された信号を出力する。ここで、タイミング再生部１５は、選局制御部２１で設定されたシンボルレートを基にしてタイミング再生を行なう。タイミング再生部１５は、ロック後のシンボルレートと設定された初期シンボルレートとの差であるオフセットシンボルレートをレジスタ１９に書込む。また、キャリア再生部１７は、選局制御部２１で設定された周波数を基にしてキャリア再生を行なう。キャリア再生部１７は、ロック後の周波数と設定された初期周波数との差であるオフセット周波数ΔＦｎ（１）をレジスタ１９に書込む（ステップＳ４２）
選局制御部２１は、時刻Ｔｎ（１）において、レジスタ１９からオフセットシンボルレートとオフセット周波数ΔＦｎ（１）を読み出してオフセット値記憶部２３に記憶する（ステップＳ４３）。
【００５７】
次に、選局制御部２１は、すべてのトランポンダに対してのステップＳ４１およびステップＳ４２の処理を繰返し、最後のトランスポンダ（ＴＰＮ）に対しての処理が終了したら（ステップＳ４４）、再度、第１番目のトランポンダに対するステップＳ４１およびステップＳ４２の処理を行なう（ステップＳ４５）。
【００５８】
選局制御部２１は、時刻Ｔ１（２）において、レジスタ１９からオフセット周波数ΔＦ１（２）を読出し、また、オフセット値記憶部２３に記憶されているオフセット周波数ΔＦ１（１）を読出し、ΔＦ１（２）からΔＦ１（１）を減算した差分値δｆを算出する（ステップＳ４６）。
【００５９】
そして、選局制御部２１は、ｎ＝２、３、・・・、Ｎについて、ΔＦｎ（２）＝ΔＦｎ（１）＋δｆ×（Ｔ１（２）−Ｔｎ（１））／（Ｔ１（２）−Ｔ１（１））を算出する（ステップＳ４７）。
【００６０】
選局制御部２１は、オフセット値記憶部２３に記憶されているすべてのオフセット周波数をΔＦｍ（１）からΔＦｍ（２）（ｍ＝１、２、・・・、Ｎ）に補正する（ステップＳ４８）。
【００６１】
次に、ユーザより、視聴時に、所望のトランスポンダＴＰｋが選局されると、選局制御部２１は、トランポンダＴＰｋに対応する初期周波数と初期シンボルレートを初期値記憶部２２から読出し、トランスポンダＴＰｋに対応するオフセット周波数とオフセットシンボルレートとをオフセット値記憶部２３から読出す。選局制御部２１は、オフセット補正した周波数で発振するように局部発振回路７を制御し、オフセット補正した周波数を基にしてキャリア再生するようにキャリア再生部１７を制御し、オフセット補正したシンボルレートを基にしてタイミング再生をするようにタイミング再生部１５を制御する（ステップＳ４９）。
【００６２】
選局部１００では、局部発振回路７が設定された周波数に基づき信号を発信することによって、トランスポンダＴＰｎからの信号より生成されたＩ信号とＱ信号を出力する。
【００６３】
復調部１１０では、選局部１００から出力されるＩ信号およびＱ信号に対して、タイミング再生部１５でタイミング再生を行ない、キャリア再生部１７でキャリア再生を行なって、複素乗算器１６より復調された信号を出力する。ここで、タイミング再生部１５は、選局制御部２１で設定されたオフセット補正されたシンボルレートを基にしてタイミング再生を行なう。また、キャリア再生部１７は、選局制御部２１で設定されたオフセット補正された周波数を基にしてキャリア再生を行なう。キャリア再生部１７は、周波数が変化した場合に、ロック後の周波数と初期周波数との差であるオフセット周波数ΔＦｋ’をレジスタ１９に書込む（ステップＳ５０）。
【００６４】
選局制御部２１は、一定周期ごとにレジスタ１９からオフセット周波数ΔＦｋ’を読出して、オフセット値記憶部２３に記憶されているオフセット周波数ΔＦｋと相違するか否かを調べ（ステップＳ５１）、相違する場合には、ΔＦｋ’からΔＦｋを減算した差分値αを算出する（ステップＳ５２）。
【００６５】
そして、選局制御部２１は、オフセット値記憶部２３に記憶されているすべてのトランスポンダのオフセット周波数ΔＦｍに差分値αを加算して、加算された値でオフセット値記憶部２３内のオフセット周波数を更新する（ステップＳ５３）。
【００６６】
以上のように本実施の形態に係る衛星放送受信装置によれば、オートサーチ時に取得したオフセット周波数とオフセットシンボルレートを記憶しておき、視聴選局時に、選局されたトランスポンダのオフセットシンボルレートとオフセット周波数を読み出して、オフセット補正された周波数とシンボルレートで受信信号を選局し復調するので、選局されたトラスポンダから送信される信号を復調するための時間を短くすることができる。
【００６７】
（変形例）
本発明は、上記実施の形態に限定されるものではなく、以下の変形例も当然ながら包含する。
【００６８】
（１）　オートサーチ時の周波数の補正方法について
オートサーチ時に、トランスポンダＴＰ１を２回目に選択した時刻ＴＰ１（２）において、温度変動が落ち着いていないこともある。その場合には、オフセット周波数はＴＰ１（２）以降も変動することになる。
【００６９】
そこで、温度変動が落ち着いたときに取得したオフセット周波数で、オフセット値記憶部２３内のオフセット周波数を補正するようにしてもよい。すなわち、選局制御部２１は、ＴＰ１〜ＴＰＮの選択を１周期として、この周期を次のようにオフセット周波数の変動がなくなるとみなすことができる状態になるまで繰返す。Ｘ周期のＴＰｎのオフセット周波数をΔＦｎ（Ｘ）で表わすとする。選局制御部２１は、Ｘ周期において、すべてのｎについて、ΔＦｎ（Ｘ）＝ΔＦｎ（Ｘ−１）が成立するときに、温度変動による周波数の変動がなくなったものとみなして、オートサーチを終了する。選局制御部２１は、すべてのトランスポンダＴＰｍ（ｍ＝１、２、・・・、Ｎ）のオフセット周波数をΔＦｍ（１）からΔＦｍ（Ｐ）に補正する。
【００７０】
（２）　オートサーチ時に２回目に選択するＴＰについて
本実施の形態では、オートサーチ時にＴＰ１を２回選択したが、これに限定するものではない。より、一般的には、以下に説明するように、２回目に選択するＴＰは、ＴＰ１〜ＴＰＮのいずれであってもよい。
【００７１】
すなわち、オートサーチ時には、トランスポンダＴＰ１、ＴＰ２、・・・、ＴＰＮを順次選局する。そして、時刻Ｔ１（１）、Ｔ２（１）、・・・、ＴＮ（１）において、それぞれ、ＴＰ１のオフセット周波数ΔＦ１（１）、ＴＰ２のオフセット周波数ΔＦ２（１）、・・・、ＴＰＮのオフセット周波数ΔＦＮ（１）を取得する。
【００７２】
選局制御部２１は、時刻Ｔｋ（２）において、レジスタ１９からオフセット周波数ΔＦ１（２）を読出し、また、オフセット値記憶部２３に記憶されているオフセット周波数ΔＦｋ（１）を読出し、ΔＦｋ（２）からΔＦｋ（１）を減算した差分値δｆを算出する。
【００７３】
ＴＰｋのオフセット周波数は、時刻が経過すると温度が変化するので、時間変化する。つまり、時刻Ｔｋ（２）で取得したときには、時刻Ｔｋ（１）で取得したときよりも、δｆ＝ΔＦｋ（２）−ΔＦｋ（１）だけ変化している。ＴＰｋのオフセット周波数ΔＦｋを、ΔＦｋ（１）から最新の値であるΔＦｋ（２）に補正する。
【００７４】
ＴＰｎ（ｎ＝１、２、・・・、Ｎ、ｎ≠ｋ）のオフセット周波数については、時刻Ｔｎ（１）で取得したときには、ΔＦｎ（１）である。しかし、時間変化するので、時刻Ｔｎ（１）以降で取得したときのオフセット周波数は、ΔＦｎ（１）と異なる。ＴＰｎのオフセット周波数についても、時刻Ｔｋ（２）で取得されたときに得られると予想される値に補正する。
【００７５】
ここで、オフセット周波数の時間的な変動量は、すべてのＴＰについて、同一であり、時間とともに線形に変化すると考える。
【００７６】
そうすると、時刻Ｔｎ（１）から、時刻Ｔｋ（２）までのＴＰｎのオフセット周波数の時間的な変動量は、δｆｎ＝δｆ×（Ｔｋ（２）−Ｔｎ（１））／（Ｔｋ（２）−Ｔｋ（１））であると考えられる。
【００７７】
選局制御部２１は、ｎ＝１、２、・・・、Ｎ（ｎ≠ｋ）について、時刻Ｔｋ（２）で取得したときに予想されるＴＰｎのオフセット周波数ΔＦｎ（２）を次式で算出する。
【００７８】
ΔＦｎ（２）＝ΔＦｎ（１）＋δｆｎ＝ΔＦｎ（１）＋δｆ×（Ｔｋ（２）−Ｔｎ（１））／（Ｔｋ（２）−Ｔｋ（１））
選局制御部２１は、オフセット値記憶部２３に記憶されているすべてのＴＰｍ（ｍ＝１、２、・・・、Ｎ）のオフセット周波数をΔＦｍ（１）からΔＦｍ（２）に補正する。
【００７９】
以上のように、２回目の選択するトランスポンダＴＰｋは、ＴＰ１〜ＴＰＮのいずれであってもよいが、２回目に選択するＴＰｋがＴＰ１であると、以下の利点がある。
【００８０】
１回目に選択するときに、ＴＰ１は、第１番目に選択されるので、２回目にＴＰ１を選択すると、δｆは、長時間におけるオフセット周波数の変化量となるので、ノイズの影響が低減され、ΔＦｎ（２）の予測精度は、一般的によくなる。
【００８１】
また、ＴＰｋ≠ＴＰ１では、ＴＰｎ（１＜ｎ＜ｋ）について、δｆｎは、δｆを外挿補間して算出されるが、ＴＰｋ＝ＴＰ１とすると、すべてのＴＰｎについて、δｆｎは、δｆを内挿補間して算出されるので、ΔＦｎ（２）の予測精度は、一般的によくなる。
【００８２】
（３）　オートサーチ後のオフセット周波数の更新について
本実施の形態では、受信中のトランスポンダＴＰｋの周波数が温度変化のため変動した場合、新たなオフセット値ΔＦｋ’と、オフセット値記憶部２３に記憶されているトランスポンダＴＰｋのオフセット周波数ΔＦｋとの差分値αを算出して、オフセット値記憶部２３内のすべてのトランスポンダＴＰｍ（ｍ＝１、２、・・・、Ｎ）のオフセット周波数をΔＦｍ’＝ΔＦｍ＋αに更新したが、これに限定するものではない。オフセット値記憶部２３内には、オートサーチ終了後のオフセット周波数を格納しておき、上記差分値を記憶するための差分値記憶部を別途設けて、新たに差分値が得られるごとに記憶している差分値を更新するようにする。そして、トランスポンダを選局したときに、オフセット値記憶部２３内のそのトランスポンダのオートサーチ終了時のオフセット周波数と差分値記憶部内の差分値とを加算して、そのトランスポンダのオフセット周波数とするようにしてもよい。
【００８３】
（４）　視聴選局時のオフセット周波数の更新について
本実施の形態では、視聴選局時には、キャリア再生部１７が、オートサーチ時のキャリア再生と同様な方法でキャリア再生することにより新たオフセット周波数が得られたが、これに限定するものではない。たとえば、特開２００１−１７７５８６号公報に記載されているようにキャリア再生部がトラッキング回路を有し、このトラッキング回路の働きにより、オフセット周波数の時間変化に追従してキャリア再生を行なうことで、新たなオフセット周波数を取得するものとしてもよい。
【００８４】
（５）　キャリア再生およびタイミング再生について
本実施の形態では、キャリア再生とタイミング再生は、ＣＰＵがプログラムを実行することにより行なわれたが、専用のハードウエアで行なわれるものとしてもよい。
【００８５】
（６）　本実施の形態では、すべて専用のハードウエアで行なわれる必要はなく、たとえば、コンピュータが、プログラムによって、オートサーチ制御部２０と、選局制御部２１と、初期値記憶部２２と、オフセット値記憶部２３の機能を実行するものであってもよい。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８７】
【発明の効果】
この発明に係わるに受信装置によれば、アンテナより入力される受信信号よりトランスポンダからの信号を選局して、選局された信号を出力する選局手段と、前記選局手段より出力される信号に対して、キャリア再生とタイミング再生を行って、復調を行なう復調手段と、各トランスポンダに対応して周波数とシンボルレートを記憶する第１の記憶手段と、各トランポンダに対応してオフセット周波数とオフセットシンボルレートを記憶する第２の記憶手段と、オートサーチ時に、前記第１の記憶手段内の各トランスポンダに対するシンボルレートと周波数とに基づき、前記選局手段に受信信号を選局させ、前記復調手段に前記選局手段より出力される信号を復調させ、前記復調手段で前記キャリア再生がロックしたときのオフセット周波数と、前記タイミング再生がロックしたときのオフセットシンボルレートとを取得し、前記第２の記憶手段に記憶させ、所望のトランスポンダを視聴選局時に、前記第１の記憶手段内の選局されたトランスポンダに対応する周波数とシンボルレートと、前記第２の記憶手段内の選局されたトランスポンダに対応するオフセット周波数とオフセットシンボルレートとを読出して、オフセット補正された周波数とオフセット補正されたシンボルレートに基づき、前記選局手段に受信信号を選局させ、前記復調手段に前記選局手段より出力される信号を復調させる制御手段とを備えたので、視聴選局時に選局されたトラスポンダから送信される信号を短時間で復調することができる。
【図面の簡単な説明】
【図１】本発明の実施の形態に係る衛星放送受信装置の構成を示す図である。
【図２】初期値記憶部２２の記憶例を示す図である。
【図３】オフセット値記憶部２３の記憶例を示す図である。
【図４】オートサーチ時のオフセット周波数の補正を説明するための図である。
【図５】衛星放送受信装置の動作手順を定めたフローチャートである。
【図６】衛星放送システムの構成を示す図である。
【図７】キャリア再生回路の構成を示す図である。
【符号の説明】
Ｃ　コンデンサ、１　ＬＮＢ、２　ＲＦ増幅回路、３，９，１０　乗算器、４，７　局部発振回路、５　ＳＡＷフィルタ、６　ＩＦ増幅回路、８　π／２移相器、１１，１２　ＬＰＦ、１３，１４　Ａ／Ｄ変換器、１５　タイミング再生部、１６，８５　複素乗算器、１７　キャリア再生部、１８　アンテナ、２０　オートサーチ制御部、２１　選局制御部、２２　初期値記憶部、２３　オフセット値記憶部、８０　キャリア再生回路、８１　位相比較器、８２、ループフィルタ、８３　数値制御発振器、８４　正弦／余弦データ生成器、９８　衛星放送受信装置、９９　衛星、１００　選局部、１１０　復調部、１２０　ＦＥＣ部。
【図１】
2004128848.tif 000003
【図２】
2004128848.tif 000004
【図３】
2004128848.tif 000005
【図４】
2004128848.tif 000006
【図５】
2004128848.tif 000007
【図６】
2004128848.tif 000008
【図７】
2004128848.tif 000009